(57)【要約】【課題】使用者が使用先別に決済可能なカードをいちいち選択する必要なしに、キーを１回押すことで決済が行われ、デフォルトカードを選定して使用することができる使用者インターフェースを通じて、使用者がより便利に携帯端末機(MU)を利用して金融決済することができる効果を提供する。【解決手段】携帯端末機(MU)に内蔵されている数個の金融決済用カード情報のうち一つをデフォルトカードとして選定し、その選定されたデフォルトカードで即刻決済が行われるようにし、決済画面上にメニューディスプレーの際に使用先別にカードを分類してソフトキーを設けメニュー移動を容易にし、携帯端末機(MU)の外部適正部位に外装キーを設けて、その外装キーを１回押すことで、カード端末機の情報送受信機(BU)と通信を通じて情報送受信機(BU)で決済可能なカード及びパスワード要否などの識別子を送信し、携帯端末機(MU)が受信した識別子に基づいて必要な決済情報を送信して決済が行われるように構成する。【選択図】図１
2007535008.tif 000002
【特許請求の範囲】
【請求項１】
携帯端末機(MU)を利用した金融決済の使用者インターフェース方法において、
(a) 前記携帯端末機(MU)に内蔵されている数個の金融決済用カードのうち一つをデフォルトカードとして選定する段階と、
(b) 前記携帯端末機(MU)の初期メニュー画面で使用者により携帯決済が選択されると、前記選定されたデフォルトカードで即刻決済することができる即刻決済項目を含む携帯決済メニューを画面に顕示する段階と、
(c) 前記携帯決済画面で使用者により即刻決済項目が選択されると、その即刻決済することができるデフォルトカードのパスワード入力のための画面を決済カードを変えるためのソフトキー(soft key)を割り当てて顕示する段階と、
(d) 前記パスワード入力画面で使用者によりパスワードが入力されて正常処理されると決済が完了したことを知らせる画面を顕示し、使用者によりパスワード入力画面に割り当てられた前記ソフトキーが選択されると内蔵されている金融決済用カードの種類を顕示して使用者が決済カードを選択するようにする段階とを含む使用者インターフェース方法。
【請求項２】
第１項において、前記段階(a)は、
前記携帯端末機(MU)に最初に内蔵された金融決済用カードをデフォルトとして選定し、使用中に金融決済用カードが一つだけ存在する場合はそのカードをデフォルトとして選定することを特徴とする使用者インターフェース方法。
【請求項３】
第１項において、前記段階(a)は、
選定されたデフォルトカードを削除する場合、その前またはその後でこれを知らせるメッセージを出力することを特徴とする使用者インターフェース方法。
【請求項４】
第１項において、前記段階(b)は、
携帯決済メニュー画面で即刻決済項目にデフォルトカードの種類を一緒に顕示することを特徴とする使用者インターフェース方法。
【請求項５】
第１項において、前記段階(d)は、
決済完了画面から自動的にボーナスカード選択画面に遷移される段階(e)をさらに含む使用者インターフェース方法。
【請求項６】
第１項において、前記段階(d)は、
決済完了画面にボーナスカード選択のためのソフトキーを割り当てて一緒に顕示することを特徴とする使用者インターフェース方法。
【請求項７】
第１項において、前記段階(d)は、
金融決済用カード種類を顕示する時、デフォルトカードに別途の表記をして使用者が容易に識別できるようにしたことを特徴とする使用者インターフェース方法。
【請求項８】
第８項において、前記段階(d)は、
デフォルトカードとして選定されたカードを容易に認識することができるように文字やハイライト(High Light)処理をすることを特徴とする使用者インターフェース方法。
【請求項９】
第１項において、前記段階(d)は、
使用不可能処理されたカードを選択した場合、これに対するエラーメッセージを顕示することを特徴とする使用者インターフェース方法。
【請求項１０】
第９項において、前記段階(d)は、
特定使用先に使用不可能なカードを選択した場合、これに対するカード選択エラーメッセージを顕示することを特徴とする使用者インターフェース方法。
【請求項１１】
第１項において、
金融決済用情報と関連したアクセス制限項目に接近しようとする場合、アクセスキーとして携帯のパスワードを使用することを特徴とする使用者インターフェース方法。
【請求項１２】
第１１項において、
前記携帯のパスワードは、携帯プライバシー保護設定/解除時に使用するパスワードであることを特徴とする使用者インターフェース方法。
【請求項１３】
携帯端末機(MU)とカード端末機に連結した情報送受信機(BU)間の情報送受信を利用した金融決済の使用者インターフェース方法において、
(a) 前記携帯端末機(MU)の外部適正部位に設けられた外装キーを1回押すことで前記情報送受信機(BU)と通信を遂行する段階と、
(b) 前記情報送受信機(BU)で使用先に応じて決済に用いられるカード種類及びパスワードの要否を含む識別子を前記携帯端末機(MU)に伝送する段階と、
(c) 前記携帯端末機(MU)で識別子を受信してパスワードが不要であれば、該当カード情報だけを前記情報送受信機(BU)に伝送して決済を完了し、パスワードが必要であれば、該当カードのパスワード入力画面を顕示する段階と、
(d) 前記パスワード入力画面で使用者によりパスワードが入力されて正常処理されると、決済が完了したことを知らせる画面を顕示する段階とを含む使用者インターフェース方法。
【請求項１４】
第１３項において、前記段階(c)は、
パスワード入力画面が顕示するとき、パスワード入力案内メッセージを音声出力することを特徴とする使用者インターフェース方法。
【請求項１５】
第１３項において、前記段階(d)は、
パスワード入力間違いのとき、これに対するエラーメッセージを顕示することを特徴とする使用者インターフェース方法。
【請求項１６】
第１３項において、前記段階(d)は、
決済が完了したことを知らせる効果音及び音声案内メッセージを出力することを特徴とする使用者インターフェース方法。
【請求項１７】
第１３項において、
特定使用先で許容される携帯端末機を利用した金融取引回数を使用カード別に決めて金融決済機能を制限する段階(e)をさらに含む使用者インターフェース方法。
【請求項１８】
第１７項において、前記段階(e)は、
日別、月別、金額別に使用先の環境に適合するように使用可能な金融取引回数を選定することを特徴とする使用者インターフェース方法。
【請求項１９】
携帯端末機(MU)とカード端末機に連結した情報送受信機(BU)間の情報送受信を利用した金融決済の使用者インターフェース方法において、
(a) 前記携帯端末機(MU)の外部適正部位に設けられる外装キーを1回押すことで、携帯端末機とカード端末機の情報送受信機(BU)間の通信を遂行する段階と、
(b) 前記携帯端末機(MU)で既選定されたデフォルトカードのカード情報または/及びパスワードを前記情報送受信機(BU)に伝送して決済が行われるようにする段階とを含む使用者インターフェース方法。
【発明の詳細な説明】
【技術分野】
【０００１】
本発明は、携帯端末機を利用した金融決済システムに関するもので、より詳しくは、携帯端末機に入っている数個の金融決済用カードに対して使用先に応じて使用者がより便利に使用することができるように提供する使用者インターフェース方法に関する。
【背景技術】
【０００２】
現在用いられているプラスチックやマグネチック(magnetic)形態のカードの代わりに携帯電話やPDAなどの光送受信機が取付けられている個人携帯端末機を使用して金融決済ができるようにした先行技術が本発明の出願人により多数提示された。例えば、韓国特許出願第2000-13426号の「携帯電話を利用した商取引システム」及び同特許出願第2000-31640号(公開番号第2001-112562号、2001．12．20)の「携帯電話を利用した決済方法」などがある。これらの先行技術には広く普及されている携帯電話に光送信機を取付け、信用照会端末機に光受信機を取付け、光送受信機が取付けられた携帯電話にカード情報を内蔵してクレジットカードの代わりに携帯電話と信用照会端末機の間の光送受信を通じて取引を行うことができるようにする内容が開示されている。
【特許文献１】韓国特許出願第2000-13426号
【特許文献２】韓国特許出願第2000-31640号(公開番号第2001-112562号、2001．12．20)
【発明の開示】
【発明が解決しようとする課題】
【０００３】
ところで、前記のように金融決済手段として用いられる携帯端末機の内・外装メモリーにはクレジットカード(credit card)、デビットカード(debit card)、キャッシュカード(cash card)、デパートカードなどの数個の金融決済カードの情報が保存されていて、使用先に応じて決済に用いられるカードが変わることがあり、小額取引などのパスワード(password)の不要な金融取引やパスワードの必要な金融取引があるので状況によって使用者がより容易に対処することができるようにインターフェースを具現する必要がある。
【０００４】
本発明の目的は、前述した点を勘案して案出されたもので、使用先に応じてデフォルトとして使用すべきカードを選定し、選定されたデフォルトカードで金融取引に対する即刻決済が行われるようにする使用者インターフェース方法を提供することにある。
本発明の目的はまた、携帯端末機の外部適正部位に外装キーを設け、その外装キーを1回押すことで決済が可能なカードに対する識別子の伝送を受け、これに基づいて金融決済が行われるようにする使用者インターフェース方法を提供することにある。
【課題を解決するための手段】
【０００５】
前述した目的を達成するための本発明の携帯端末機を利用した金融決済の使用者インターフェース方法は、(a)前記携帯端末機(MU)に内蔵されている数個の金融決済用カードのうち一つをデフォルトカードとして選定する段階と、(b)前記携帯端末機(MU)の初期メニュー画面で使用者により携帯電話の決済が選択されると、前記選定されたデフォルトカードで即刻決済することができる即刻決済項目を含む携帯決済メニューを画面顕示する段階と、(c)前記携帯決済画面で使用者により即刻決済項目が選択されると、その即刻決済することができるデフォルトカードのパスワード入力のための画面を決済カードを変えるためのソフトキー(soft key)を割り当てて顕示する段階と、(d)前記パスワード入力画面で使用者によりパスワードが入力されて正常処理されると決済が完了したことを知らせる画面を顕示し、使用者によりパスワード入力画面に割り当てられた前記ソフトキーが選択されると内蔵されている金融決済用カード種類を顕示して使用者をして決済カードを選択するようにする段階とを含む。
【０００６】
本発明の目的を達成するための携帯端末機を利用した金融決済の使用者インターフェース方法は、携帯端末機(MU)とカード端末機に連結した情報送受信機(BU)間の情報送受信を利用した金融決済の使用者インターフェース方法において、(a)前記携帯端末機(MU)の外部適正部位に設けられた外装キーを1回押すことで前記情報送受信機(BU)と通信を遂行する段階と、(b)前記情報送受信機(BU)で使用先に応じて決済に用いられるカード種類及びパスワードの要否を含む識別子を前記携帯端末機(MU)に伝送する段階と、(c)前記携帯端末機(MU)で識別子を受信してパスワードが不要であれば、該当カードの情報だけを前記情報送受信機(BU)に伝送して決済を完了し、パスワードが必要であれば、該当カードのパスワード入力画面を顕示する段階と、(d)前記パスワード入力画面で使用者によりパスワードが入力されて正常処理されると、決済が完了したことを知らせる画面を顕示する段階とを含む。
【発明の効果】
【０００７】
本発明の携帯端末機を利用した金融決済の使用者インターフェース方法は、数個の金融決済用カードのうちデフォルトで使用するカードを選定して使用者がいちいちカードを選択しなくても即刻決済することができるようにし、携帯端末機の外部適正部分に外装キーを設けて、その外装キーを1回押すだけでカード端末機に繋がっている情報送受信機と通信を通じて決済可能なカードの種類及びパスワードの要否などの通知を受け、それに合うように決済することができる使用者インターフェースを提供することによって、使用者が携帯端末機を利用した金融決済をより便利に使用することができるという効果を有する。
【発明を実施するための最良の形態】
【０００８】
以下、添付した図面に基づき本発明の望ましい実施例を詳述する。
図1は、本発明が適用された携帯端末機を利用した金融決済システムを概略的に示す。図1に示された金融決済システムは、金融決済/IDカード情報を内蔵している携帯端末機(Mobile Unit:MU)(10)と、携帯端末機(MU)(10)との通信を通じて金融決済/IDカード情報を受信するための情報送受信機(Base Unit:BU)(20)を備える。携帯端末機(MU)(10)と情報送受信機(BU)(20)の各々にはRFチップ、Irモジュール、ブルートゥース(Bluetooth)などが搭載されて相互通信する。情報送受信機(BU)(20)は図示されていないカード端末機にケーブル連結するか取付けられるかあるいは内蔵される。カード端末機はVAN網を通じて金融決済/ID確認側のサーバーに連結する。
【０００９】
携帯端末機(MU)(10)を利用した金融決済システム上で、使用者が携帯端末機(MU)(10)とのインターフェースを通じて金融決済する過程について図2ないし図３Cに基づいて説明する。
【００１０】
携帯端末機(MU)(10)には、数個の金融決済用カード情報が内蔵されており、使用者が状況に応じていちいち選択しなければならないという不便がある。従って、本発明は携帯端末機(MU)(10)に内蔵されている数個の金融決済用カードのうち一つをデフォルトとして選定し、そのデフォルトカードで即刻決済することができる即刻決済方式を使用する。即刻決済に係る使用者インターフェース画面を図2に示す。
【００１１】
使用者は金融決済手段として利用可能な携帯端末機(MU)(10)の図2(a)に示された金融決済メニュー上でキーパッドを操作して「6」番の携帯決済を選択する。そうすると、携帯端末機(MU)(10)は携帯決済メニューとして設定され、画面上に図2(b)のように即刻決済、金融決済カード、ボーナスカード、出入証、使用内訳確認、カード発給要請の項目が顕示される。
【００１２】
図2(b)画面で、即刻決済項目にはデフォルトカード(default card)が一緒に顕示されて使用者があらかじめデフォルトとして選定されたカードの種類を容易に認識することができるようにする。使用者がデフォルトとして選定されたカードで一般商取引などの決済を行おうとする場合、携帯端末機(MU)(10)の図2(b)の画面上でキーパッドを操作して「1」番ボタンを押して即刻決済を選択する。そうすると、携帯端末機(MU)(10)は図2(c)のように画面上に即刻決済画面が顕示される。この状態で、使用者はパスワードを入力し、決済ボタンを押して情報送受信機(BU)(20)でパスワードと一緒に該当デフォルトカードとして選定された金融決済カードの情報が決済情報として伝送される。
【００１３】
図2(c)の即刻決済カードのパスワード入力のための画面で、決済カードを変更することができるソフトキー(soft key)が割り当てられる。即ち、図2(c)の画面の下段にはメニュー、決済、上位などのソフトキー(soft-key)(A)が顕示される。使用者が携帯端末機(MU)(10)キーパッドの方向キーなどを操作してカーソルを「メニュー」上に位置させた後選択すれば「1．決済カード変更、2．ヘルプ」という２つの下部メニューが画面上に現れる。このうち、使用者が携帯端末機(MU)(10)のキーパッド上に数字キー「1」番を押すと、使用者に携帯端末機(MU)(10)に内蔵されている金融決済用カードの種類が分かるように図2(e)のように画面顕示する。カードリストのうち「*」が表示されているカードは使用者が設定した即刻決済用カードであることを意味する。即ち、デフォルトとして選定されているカードを使用者が容易に職別することができるよう別途の表示記号、文字表示またはハイライト(High Light)などで画面表示処理をする。
【００１４】
デフォルトカードは、携帯端末機(MU)(10)に最初に金融決済用カードをダウンロードする場合、別途の指定なしにダウンロードしたカードがデフォルトとして選定される。使用中にデフォルトとして指定したカードを削除したりして金融決済用カードが一つだけ存在する場合、そのカードが自動的にデフォルトとして指定される。即刻決済カードとして設定されたデフォルトカードを削除する場合、削除前または削除後にこれを知らせるメッセージが出力される。このような即刻決済を通じて使用者はその都度使用すべきカードを選択する必要がなく、デフォルトカードで即刻決済することができる。
【００１５】
携帯端末機(MU)(10)の画面下段「A」部分に顕示されるソフトキーを通じて図2(e)の画面上で上位メニューを選択すれば図2(b)の画面に戻る。図2(c)の画面上で決済ボタンを押す場合、携帯端末機(MU)(10)画面は図2(d)の画面に遷移されて決済が完了したことを使用者に知らせる。携帯端末機(MU)(10)はまた、ベル音などの効果音及び音声案内メッセージ送出を通じて決済が完了したことを知らせることもできる。
【００１６】
このように、一般商取引決済などの決済完了後ボーナスカードを容易に使用することができるようにボーナスカード伝送を選択することができるソフトキーが割り当てられる。即ち、図2(d)の画面下段にボーナス、終了、上位の三つのうち一つを選択することができるようにソフトキーが顕示される。使用者が携帯端末機(MU)(10)のキーパッドを操作してボーナスとして割り当てられたソフトキーを選択すれば図2(f)のような画面が顕示される。勿論、図2(d)の画面上で自動的に図2(f)のようなボーナスカード選択画面に遷移することもできる。
【００１７】
一方、携帯端末機(MU)(10)のキーパッドを利用せず携帯端末機(MU)(10)の外部適正部位に設けられた外装キー(11)を1回押すことで金融決済が行われる使用者インターフェース方法もある。外装キー(11)に係る使用者インターフェース画面を図3A-3Dに示す。
使用者により外装キー(11)が1回押されると、携帯端末機(MU)(10)はカード端末機(図示せず)に連結した情報送受信機(BU)(20)と通信を遂行する。携帯端末機(MU)(10)は外装キー(11)を極短く押すか、数mmsの間またはそれ以上に押しても全て認知可能であり、携帯電話形態である場合、そのフリップあるいはフォルダが「開き(open)」の時か「閉じ(close)」のとき両方ともに適用され得る。携帯端末機(MU)(10)は外装キー(11)が押されて内蔵されているカード情報がなければ、即ちカード未発給状態であれば図3Aの(a)画面を顕示してカードを発給してもらうことができるようにする。情報送受信機(BU)(20)は決済に用いられるカードの種類及びパスワードの要否を含む識別子を携帯端末機(MU)(10)に送信する。一般的に交通や自販機、小額決済、一部出入証などの金融取引にはパスワードが不要であり、デフォルトカードやデパートなどの使用先別の決済カードなどの金融取引にはパスワードが必要である。
【００１８】
携帯端末機(MU)(10)は情報送受信機(BU)(20)から識別子を受信し、パスワードが不要であれば、必要なカード情報だけを送信して取引を終了する。この際、携帯端末機(MU)(10)のフォルダが閉じられている状態であれば特別な画面表示無しに正常処理されたことを知らせるベル音を送出する。もし、正常処理されなかったら画面上にエラーメッセージを顕示して使用者が確認することができるようにする。即ち、使用者がエラーメッセージを確認するために携帯端末機(MU)(10)フォルダを開けると、エラー事由によって図3Aの(b)ないし(e)画面が顕示される。エラー事由としては、ブラックリスト(B/L)カード、Ir通信障害、カード選択間違い、取引回数超過などがある。取引回数超過は自販機の場合だけに適用される。
【００１９】
この場合携帯端末機(MU)(10)あるいは情報送受信機(BU)(20)で一日使用回数/使用金額などを保存/管理して特定条件に符合するとカード機能を停止させ、制限条件が解除されれば再びカード機能を使用することができるように処理する。即ち、使用カード別または携帯端末機別に使用可能な回数を決めて携帯端末機に保存された金融決済機能を制限する。使用可能回数選定は、日別、月別、金額別などに使用先の環境に適合するように選択することができる。携帯端末機(MU)(10)は、情報送受信機(BU)(20)から識別子を受信してパスワードが必要であれば、自動的にパスワード入力ウィンドウを活性化させる。
【００２０】
もしも、携帯端末機(MU)(10)のフォルダが閉じられた状態であれば、「パスワード入力案内メッセージ」を音声出力する。パスワード入力ウィンドウが活性化された状態では携帯端末機(MU)(10)と情報送受信機(BU)(20)間の通信連結(connection)を中断する。その理由はエアタイム(air-time)の発生による通信費用が消耗されることを防止するためである。図3B、3Dにはパスワードが必要な場合であって、一般商取引と出入証を例にしてそれぞれ図示した。使用者が携帯端末機(MU)(10)のパスワード入力ウィンドウにパスワードを入力して決済ボタンを押すと、取引がなされるようになる。携帯端末機(MU)(10)はカードのパスワード入力を間違った時、これに対するエラーメッセージを顕示する。その後には図２を通じて説明したインターフェース過程と同一である。
【００２１】
また、携帯端末機(MU)(10)に内蔵されているカードを使用先別に分類して使用者にカード選択が便利にできるようにする。例えば、メンバーシップカード、ボーナスカード、ファミリーカード、出入保安、小額決済、交通決済、一般商取引、銀行カード、デビットカード、キャッシュカード、クレジットカードなどに分類し、各分類の下位目録に該当する細部カードをディスプレーする。決済過程進行時には関連したその他の事項を選択して該当画面に移動するようにするアイコン(icon)やメニューを提供する。例えば、即刻決済カードを利用した決済時にカードのパスワード入力画面で他のカードを選択することができるアイコンやメニューを提供し、金融決済完了メッセージをディスプレーした後、ボーナスカードなどの追加的なサービスを受けられる情報を選択することができるメニューやアイコンを提供する。
【００２２】
さらに、携帯端末機(MU)(10)内にアクセス制限項目に接近しようとする場合には、アクセスのキーとして携帯のパスワードを使用する。ここで、アクセス制限項目は各種のカード設定と照会関連項目であり、携帯のパスワードは携帯プライバシー保護設定/解除時に使用するパスワードのことである。
【００２３】
前述したように、本発明の携帯端末機を利用した金融決済の使用者インターフェース方法は、数個の金融決済用カードのうちデフォルトで使用するカードを選定して使用者がいちいちカードを選択しなくても即刻決済することができるようにし、携帯端末機の外部適正部分に外装キーを設けて、その外装キーを1回押すだけでカード端末機に繋がっている情報送受信機と通信を通じて決済可能なカードの種類及びパスワードの要否などの通知を受け、それに合うように決済することができる使用者インターフェースを提供することによって、使用者が携帯端末機を利用した金融決済をより便利に使用することができるという効果を有する。
【００２４】
［産業上の利用可能性］
前述したように、本発明に係る携帯端末機を利用した金融決済の使用者インターフェース方法は、クレジットカード(credit card)、デビットカード、キャッシュカード、デパートカード、メンバーシップカード、ボーナスカード、ファミリーカード、出入保安カードなどのカード使用分野において使用先別決済可能カードを選択するのに用いられる。
【図面の簡単な説明】
【００２５】
【図１】本発明が適用された携帯端末機を利用した金融決済システムを概略的に示す図面。
【図２Ａ】即刻決済のための使用者インターフェース過程を示す携帯端末機画面状態図。
【図２Ｂ】即刻決済のための使用者インターフェース過程を示す携帯端末機画面状態図。
【図３Ａ】外装キーを利用した使用者インターフェース過程を示す携帯端末機画面状態図。
【図３Ｂ】外装キーを利用した使用者インターフェース過程を示す携帯端末機画面状態図。
【図３Ｃ】外装キーを利用した使用者インターフェース過程を示す携帯端末機画面状態図。
【図３Ｄ】外装キーを利用した使用者インターフェース過程を示す携帯端末機画面状態図。
【符号の説明】
【００２６】
ＢＵ  情報送受信機
ＭＵ  携帯端末機
【図１】
2007535008.tif 000003
2007535008.tif 000004
2007535008.tif 000005
2007535008.tif 000006
2007535008.tif 000007
2007535008.tif 000008
2007535008.tif 000009
【手続補正書】
【提出日】平成17年12月8日(2005.12.8)
【手続補正１】
【補正対象書類名】特許請求の範囲
【補正対象項目名】全文
【補正方法】変更
【補正の内容】
【特許請求の範囲】
【請求項１】
携帯端末機(MU)(10)を利用した金融決済の使用者インターフェース方法において、
(a) 前記携帯端末機(MU)(10)に内蔵されている数個の金融決済用カードのうち一つをデフォルトカードとして選定する段階と、
(b) 前記携帯端末機(MU)(10)の初期メニュー画面で使用者により携帯決済が選択されると、前記選定されたデフォルトカードで即刻決済することができる即刻決済項目を含む携帯決済メニューを画面に顕示する段階と、
(c) 前記携帯決済画面で使用者により即刻決済項目が選択されると、その即刻決済することができるデフォルトカードのパスワード入力のための画面を決済カードを変えるためのソフトキー(soft key)を割り当てて顕示し、このときパスワード入力案内メッセージを音声出力する段階と、
(d) 前記パスワード入力画面で使用者によりパスワードが入力されて正常処理されると決済が完了したことを知らせる画面を顕示し、使用者によりパスワード入力画面に割り当てられた前記ソフトキーが選択されると内蔵されている金融決済用カードの種類を顕示して使用者が決済カードを選択するようにする段階とを含む使用者インターフェース方法。
【請求項２】
第１項において、前記段階(a)は、
前記携帯端末機(MU)(10)に最初に内蔵された金融決済用カードをデフォルトとして選定し、使用中に金融決済用カードが一つだけ存在する場合はそのカードをデフォルトとして選定することを特徴とする使用者インターフェース方法。
【請求項３】
第１項において、前記段階(a)は、
選定されたデフォルトカードを削除する場合、その前またはその後でこれを知らせるメッセージを出力することを特徴とする使用者インターフェース方法。
【請求項４】
第１項において、前記段階(b)は、
携帯決済メニュー画面で即刻決済項目にデフォルトカードの種類を一緒に顕示することを特徴とする使用者インターフェース方法。
【請求項５】
第１項において、前記段階(d)は、
決済完了画面でボーナスカードを含む追加的なサービスを受けることのできる情報が選択可能なメニューやアイコンを提供する段階(e)をさらに含む使用者インターフェース方法。
【請求項６】
第１項において、前記段階(d)は、
決済完了画面にボーナスカード選択のためのソフトキーを割り当てて一緒に顕示することを特徴とする使用者インターフェース方法。
【請求項７】
第１項において、前記段階(d)は、金融決済用カード種類を顕示する時、デフォルトカードに別途の表記をして使用者が容易に識別できるようにしたことを特徴とする使用者インターフェース方法。
【請求項８】
第１項において、前記段階(d)は、
デフォルトカードとして選定されたカードを容易に認識することができるように文字やハイライト(High Light)処理をすることを特徴とする使用者インターフェース方法。
【請求項９】
第１項において、前記段階(d)は、
使用不可能処理されたカードを選択した場合、これに対するエラーメッセージを顕示することを特徴とする使用者インターフェース方法。
【請求項１０】
第９項において、前記段階(d)は、
特定使用先に使用不可能なカードを選択した場合、これに対するカード選択エラーメッセージを顕示することを特徴とする使用者インターフェース方法。
【請求項１１】
第１項において、前記携帯端末機(MU)(10)内にアクセス制限項目に接近しようとする場合、アクセスキーとして携帯のパスワードを使用することを特徴とする使用者インターフェース方法。
【請求項１２】
第１１項において、
前記携帯のパスワードは、携帯プライバシー保護設定/解除時に使用するパスワードであることを特徴とする使用者インターフェース方法。
【請求項１３】
携帯端末機(MU)(10)とカード端末機に連結した情報送受信機(BU)(20)間の情報送受信を利用した金融決済の使用者インターフェース方法において、
(a) 前記携帯端末機(MU)(10)の外部適正部位に設けられた外装キー(11)を1回押すことで前記情報送受信機(BU)(20)と通信を遂行する段階と、
(b) 前記情報送受信機(BU)(20)で使用先に応じて決済に用いられるカード種類及びパスワードの要否を含む識別子を前記携帯端末機(MU)(10)に伝送する段階と、
(c) 前記携帯端末機(MU)(10)で識別子を受信してパスワードが不要であれば、該当カード情報だけを前記情報送受信機(BU)(20)に伝送して決済を完了し、パスワードが必要であれば、該当カードのパスワード入力画面を顕示する段階と、
(d) 前記パスワード入力画面で使用者によりパスワードが入力されて正常処理されると、決済が完了したことを知らせる画面を顕示する段階とを含む使用者インターフェース方法。
【請求項１４】
第１３項において、前記段階(c)は、
パスワード入力画面が顕示された状態で、エアタイムの発生による通信費用消耗を防止するため、携帯端末機(MU)(10)と情報送受信機(BU)(20)間の通信連結を中断することを特徴とする使用者インターフェース方法。
【請求項１５】
第１３項において、前記段階(d)は、
パスワード入力間違いのとき、これに対するエラーメッセージを顕示することを特徴とする使用者インターフェース方法。
【請求項１６】
第１３項において、前記段階(d)は、
決済が完了したことを知らせる効果音及び音声案内メッセージを出力することを特徴とする使用者インターフェース方法。
【請求項１７】
第１３項において、
特定使用先で許容される携帯端末機を利用した金融取引回数を使用カード別に決めて金融決済機能を制限する段階(e)をさらに含む使用者インターフェース方法。
【請求項１８】
第１７項において、前記段階(e)は、
日別、月別、金額別に使用先の環境に適合するように使用可能な金融取引回数を選定することを特徴とする使用者インターフェース方法。
【請求項１９】
携帯端末機(MU)(10)とカード端末機に連結した情報送受信機(BU)(20)間の情報送受信を利用した金融決済の使用者インターフェース方法において、
(a) 前記携帯端末機(MU)(10)の外部適正部位に設けられる外装キー(11)を1回押すことで、携帯端末機(10)とカード端末機の情報送受信機(BU)(20)間の通信を遂行する段階と、
(b) 前記携帯端末機(MU)(10)で既選定されたデフォルトカードのカード情報または/及びパスワードを前記情報送受信機(BU)(20)に伝送して決済が行われるようにする段階とを含む使用者インターフェース方法。
【手続補正２】
【補正対象書類名】明細書
【補正対象項目名】全文
【補正方法】変更
【補正の内容】
【発明の詳細な説明】
【技術分野】
【０００１】
本発明は、携帯端末機を利用した金融決済システムに関するもので、より詳しくは、携帯端末機に入っている数個の金融決済用カードに対して使用先に応じて使用者がより便利に使用することができるように提供する使用者インターフェース方法に関する。
【背景技術】
【０００２】
現在用いられているプラスチックやマグネチック(magnetic)形態のカードの代わりに携帯電話やPDAなどの光送受信機が取付けられている個人携帯端末機を使用して金融決済ができるようにした先行技術が本発明の出願人により多数提示された。例えば、韓国特許出願第2000-13426号の「携帯電話を利用した商取引システム」及び同特許出願第2000-31640号(公開番号第2001-112562号、2001．12．20)の「携帯電話を利用した決済方法」などがある。これらの先行技術には広く普及されている携帯電話に光送信機を取付け、信用照会端末機に光受信機を取付け、光送受信機が取付けられた携帯電話にカード情報を内蔵してクレジットカードの代わりに携帯電話と信用照会端末機の間の光送受信を通じて取引を行うことができるようにする内容が開示されている。
【０００３】
他の例として、国際出願WO98/34203A1(1998. 8. 6)の「携帯通信機器を利用して金融取引を遂行する方法及び装置」がある。この先行技術には、携帯電話のような携帯通信機器あるいは別の機器の内に信用または直払勘定、デジタル貨幣または別の金融物(financial entities)を表わす金融識別コード(ID’s)を直接保存して、IDを無線または赤外線信号で伝送して購買取引を行うことができるようにする内容が開示されている。
【０００４】
また他の例として、国際出願WO02/80122A1(2002．10．10)の「移動通信端末機に金融決済情報を内蔵して決済する方法及びそのシステム」がある。この先行技術には、カード発給申請の際、顧客固有の電子財布用管理番号(パスワード)を暗証キーとして使用して金融情報を暗証化して移動通信端末機に直接または通信網を通じて入力させ、決済時に本人の電子財布用管理番号(パスワード)を入力して暗証化された金融情報と、その管理番号(パスワード)を加盟店のPOSターミナル(またはカード照会機)に光送信して、POSターミナル(またはカード照会機)から受信した電子財布用管理番号(パスワード)で暗証化された金融情報を復号化するようにする内容が開示されている。
【０００５】
また他の例として、米国特許US6,016,476(2000．1．18)号の「生物学的認証及びデジタル証明保安を利用する携帯情報及び取引処理システム並びに方法」がある。この先行技術には使用者がクレジットカード、ATMカード及び/またはデビットカード(即ち、金融)情報のみならず個人情報も保存して、スマートカードに選択された情報をアクセス及び記録してPOS、ATMあるいは消費者取引開始に用いられるようにし、生物学的データ、PONあるいはパスワードを利用した使用者照会を行い、PDAに保存された各カードに対する金融情報を保護する内容が開示されている。
【０００６】
また他の例として、国際出願WO02/065404A2(2002．8．22)の「身元確認システム」がある。この先行技術には、携帯電話のメニュー上でカードを選択し、これをシリアルデータストリームに送る内容が開示されている。
【０００７】
また他の例として、英国特許GB2353389A(2001．2．21)の「セルフサービス端末機」がある。この先行技術には携帯端末に保存するための電子商品券を分配するセルフサービス端末機が開示されている。
【特許文献１】韓国特許出願第2000-13426号
【特許文献２】韓国特許出願第2000-31640号(公開番号第2001-112562号、2001．12．20)
【特許文献３】国際出願WO98/34203A1(1998. 8. 6)
【特許文献４】国際出願WO02/80122A1(2002．10．10)
【特許文献５】米国特許US6,016,476(2000．1．18)号
【特許文献６】国際出願WO02/065404A2(2002．8．22)
【特許文献７】英国特許GB2353389A(2001．2．21)
【発明の開示】
【発明が解決しようとする課題】
【０００８】
ところで、前記のように金融決済手段として用いられる携帯端末機の内・外装メモリーにはクレジットカード(credit card)、デビットカード(debit card)、キャッシュカード(cash card)、デパートカードなどの数個の金融決済カードの情報が保存されていて、使用先に応じて決済に用いられるカードが変わることがあり、小額取引などのパスワード(password)の不要な金融取引やパスワードの必要な金融取引があるので状況によって使用者がより容易に対処することができるようにインターフェースを具現する必要がある。
【０００９】
本発明の目的は、前述した点を勘案して案出されたもので、使用先に応じてデフォルトとして使用すべきカードを選定し、選定されたデフォルトカードで金融取引に対する即刻決済が行われるようにする使用者インターフェース方法を提供することにある。
本発明の目的はまた、携帯端末機の外部適正部位に外装キーを設け、その外装キーを1回押すことで決済が可能なカードに対する識別子の伝送を受け、これに基づいて金融決済が行われるようにする使用者インターフェース方法を提供することにある。
【課題を解決するための手段】
【００１０】
前述した目的を達成するための本発明の携帯端末機を利用した金融決済の使用者インターフェース方法は、(a)前記携帯端末機(MU)に内蔵されている数個の金融決済用カードのうち一つをデフォルトカードとして選定する段階と、(b)前記携帯端末機(MU)の初期メニュー画面で使用者により携帯電話の決済が選択されると、前記選定されたデフォルトカードで即刻決済することができる即刻決済項目を含む携帯決済メニューを画面顕示する段階と、(c)前記携帯決済画面で使用者により即刻決済項目が選択されると、その即刻決済することができるデフォルトカードのパスワード入力のための画面を決済カードを変えるためのソフトキー(soft key)を割り当てて顕示する段階と、(d)前記パスワード入力画面で使用者によりパスワードが入力されて正常処理されると決済が完了したことを知らせる画面を顕示し、使用者によりパスワード入力画面に割り当てられた前記ソフトキーが選択されると内蔵されている金融決済用カード種類を顕示して使用者をして決済カードを選択するようにする段階とを含む。
【００１１】
本発明の目的を達成するための携帯端末機を利用した金融決済の使用者インターフェース方法は、携帯端末機(MU)とカード端末機に連結した情報送受信機(BU)間の情報送受信を利用した金融決済の使用者インターフェース方法において、(a)前記携帯端末機(MU)の外部適正部位に設けられた外装キーを1回押すことで前記情報送受信機(BU)と通信を遂行する段階と、(b)前記情報送受信機(BU)で使用先に応じて決済に用いられるカード種類及びパスワードの要否を含む識別子を前記携帯端末機(MU)に伝送する段階と、(c)前記携帯端末機(MU)で識別子を受信してパスワードが不要であれば、該当カードの情報だけを前記情報送受信機(BU)に伝送して決済を完了し、パスワードが必要であれば、該当カードのパスワード入力画面を顕示する段階と、(d)前記パスワード入力画面で使用者によりパスワードが入力されて正常処理されると、決済が完了したことを知らせる画面を顕示する段階とを含む。
【発明の効果】
【００１２】
本発明の携帯端末機を利用した金融決済の使用者インターフェース方法は、数個の金融決済用カードのうちデフォルトで使用するカードを選定して使用者がいちいちカードを選択しなくても即刻決済することができるようにし、携帯端末機の外部適正部分に外装キーを設けて、その外装キーを1回押すだけでカード端末機に繋がっている情報送受信機と通信を通じて決済可能なカードの種類及びパスワードの要否などの通知を受け、それに合うように決済することができる使用者インターフェースを提供することによって、使用者が携帯端末機を利用した金融決済をより便利に使用することができるという効果を有する。
【発明を実施するための最良の形態】
【００１３】
以下、添付した図面に基づき本発明の望ましい実施例を詳述する。
図1は、本発明が適用された携帯端末機を利用した金融決済システムを概略的に示す。図1に示された金融決済システムは、金融決済/IDカード情報を内蔵している携帯端末機(Mobile Unit:MU)(10)と、携帯端末機(MU)(10)との通信を通じて金融決済/IDカード情報を受信するための情報送受信機(Base Unit:BU)(20)を備える。携帯端末機(MU)(10)と情報送受信機(BU)(20)の各々にはRFチップ、Irモジュール、ブルートゥース(Bluetooth)などが搭載されて相互通信する。情報送受信機(BU)(20)は図示されていないカード端末機にケーブル連結するか取付けられるかあるいは内蔵される。カード端末機はVAN網を通じて金融決済/ID確認側のサーバーに連結する。
【００１４】
携帯端末機(MU)(10)を利用した金融決済システム上で、使用者が携帯端末機(MU)(10)とのインターフェースを通じて金融決済する過程について図2ないし図３Cに基づいて説明する。
【００１５】
携帯端末機(MU)(10)には、数個の金融決済用カード情報が内蔵されており、使用者が状況に応じていちいち選択しなければならないという不便がある。従って、本発明は携帯端末機(MU)(10)に内蔵されている数個の金融決済用カードのうち一つをデフォルトとして選定し、そのデフォルトカードで即刻決済することができる即刻決済方式を使用する。即刻決済に係る使用者インターフェース画面を図2に示す。
【００１６】
使用者は金融決済手段として利用可能な携帯端末機(MU)(10)の図2(a)に示された金融決済メニュー上でキーパッドを操作して「6」番の携帯決済を選択する。そうすると、携帯端末機(MU)(10)は携帯決済メニューとして設定され、画面上に図2(b)のように即刻決済、金融決済カード、ボーナスカード、出入証、使用内訳確認、カード発給要請の項目が顕示される。図2(b)画面で、即刻決済項目にはデフォルトカード(default card)が一緒に顕示されて使用者があらかじめデフォルトとして選定されたカードの種類を容易に認識することができるようにする。使用者がデフォルトとして選定されたカードで一般商取引などの決済を行おうとする場合、携帯端末機(MU)(10)の図2(b)の画面上でキーパッドを操作して「1」番ボタンを押して即刻決済を選択する。そうすると、携帯端末機(MU)(10)は図2(c)のように画面上に即刻決済画面が顕示される。この状態で、使用者はパスワードを入力し、決済ボタンを押して情報送受信機(BU)(20)でパスワードと一緒に該当デフォルトカードとして選定された金融決済カードの情報が決済情報として伝送される。
【００１７】
図2(c)の即刻決済カードのパスワード入力のための画面で、決済カードを変更することができるソフトキー(soft key)が割り当てられる。即ち、図2(c)の画面の下段にはメニュー、決済、上位などのソフトキー(soft-key)(A)が顕示される。使用者が携帯端末機(MU)(10)キーパッドの方向キーなどを操作してカーソルを「メニュー」上に位置させた後選択すれば「1．決済カード変更、2．ヘルプ」という２つの下部メニューが画面上に現れる。このうち、使用者が携帯端末機(MU)(10)のキーパッド上に数字キー「1」番を押すと、使用者に携帯端末機(MU)(10)に内蔵されている金融決済用カードの種類が分かるように図2(e)のように画面顕示する。カードリストのうち「*」が表示されているカードは使用者が設定した即刻決済用カードであることを意味する。即ち、デフォルトとして選定されているカードを使用者が容易に職別することができるよう別途の表示記号、文字表示またはハイライト(High Light)などで画面表示処理をする。
【００１８】
デフォルトカードは、携帯端末機(MU)(10)に最初に金融決済用カードをダウンロードする場合、別途の指定なしにダウンロードしたカードがデフォルトとして選定される。使用中にデフォルトとして指定したカードを削除したりして金融決済用カードが一つだけ存在する場合、そのカードが自動的にデフォルトとして指定される。即刻決済カードとして設定されたデフォルトカードを削除する場合、削除前または削除後にこれを知らせるメッセージが出力される。このような即刻決済を通じて使用者はその都度使用すべきカードを選択する必要がなく、デフォルトカードで即刻決済することができる。携帯端末機(MU)(10)の画面下段「A」部分に顕示されるソフトキーを通じて図2(e)の画面上で上位メニューを選択すれば図2(b)の画面に戻る。図2(c)の画面上で決済ボタンを押す場合、携帯端末機(MU)(10)画面は図2(d)の画面に遷移されて決済が完了したことを使用者に知らせる。
【００１９】
携帯端末機(MU)(10)はまた、ベル音などの効果音及び音声案内メッセージ送出を通じて決済が完了したことを知らせることもできる。このように、一般商取引決済などの決済完了後ボーナスカードを容易に使用することができるようにボーナスカード伝送を選択することができるソフトキーが割り当てられる。即ち、図2(d)の画面下段にボーナス、終了、上位の三つのうち一つを選択することができるようにソフトキーが顕示される。使用者が携帯端末機(MU)(10)のキーパッドを操作してボーナスとして割り当てられたソフトキーを選択すれば図2(f)のような画面が顕示される。勿論、図2(d)の画面上で自動的に図2(f)のようなボーナスカード選択画面に遷移することもできる。
【００２０】
一方、携帯端末機(MU)(10)のキーパッドを利用せず携帯端末機(MU)(10)の外部適正部位に設けられた外装キー(11)を1回押すことで金融決済が行われる使用者インターフェース方法もある。外装キー(11)に係る使用者インターフェース画面を図3A-3Dに示す。
使用者により外装キー(11)が1回押されると、携帯端末機(MU)(10)はカード端末機(図示せず)に連結した情報送受信機(BU)(20)と通信を遂行する。携帯端末機(MU)(10)は外装キー(11)を極短く押すか、数mmsの間またはそれ以上に押しても全て認知可能であり、携帯電話形態である場合、そのフリップあるいはフォルダが「開き(open)」の時か「閉じ(close)」のとき両方ともに適用され得る。携帯端末機(MU)(10)は外装キー(11)が押されて内蔵されているカード情報がなければ、即ちカード未発給状態であれば図3Aの(a)画面を顕示してカードを発給してもらうことができるようにする。
【００２１】
情報送受信機(BU)(20)は決済に用いられるカードの種類及びパスワードの要否を含む識別子を携帯端末機(MU)(10)に送信する。一般的に交通や自販機、小額決済、一部出入証などの金融取引にはパスワードが不要であり、デフォルトカードやデパートなどの使用先別の決済カードなどの金融取引にはパスワードが必要である。携帯端末機(MU)(10)は情報送受信機(BU)(20)から識別子を受信し、パスワードが不要であれば、必要なカード情報だけを送信して取引を終了する。
【００２２】
この際、携帯端末機(MU)(10)のフォルダが閉じられている状態であれば特別な画面表示無しに正常処理されたことを知らせるベル音を送出する。もし、正常処理されなかったら画面上にエラーメッセージを顕示して使用者が確認することができるようにする。即ち、使用者がエラーメッセージを確認するために携帯端末機(MU)(10)フォルダを開けると、エラー事由によって図3Aの(b)ないし(e)画面が顕示される。エラー事由としては、ブラックリスト(B/L)カード、Ir通信障害、カード選択間違い、取引回数超過などがある。取引回数超過は自販機の場合だけに適用される。この場合携帯端末機(MU)(10)あるいは情報送受信機(BU)(20)で一日使用回数/使用金額などを保存/管理して特定条件に符合するとカード機能を停止させ、制限条件が解除されれば再びカード機能を使用することができるように処理する。
【００２３】
即ち、使用カード別または携帯端末機別に使用可能な回数を決めて携帯端末機に保存された金融決済機能を制限する。使用可能回数選定は、日別、月別、金額別などに使用先の環境に適合するように選択することができる。携帯端末機(MU)(10)は、情報送受信機(BU)(20)から識別子を受信してパスワードが必要であれば、自動的にパスワード入力ウィンドウを活性化させる。もしも、携帯端末機(MU)(10)のフォルダが閉じられた状態であれば、「パスワード入力案内メッセージ」を音声出力する。パスワード入力ウィンドウが活性化された状態では携帯端末機(MU)(10)と情報送受信機(BU)(20)間の通信連結(connection)を中断する。その理由はエアタイム(air-time)の発生による通信費用が消耗されることを防止するためである。図3B、3Dにはパスワードが必要な場合であって、一般商取引と出入証を例にしてそれぞれ図示した。使用者が携帯端末機(MU)(10)のパスワード入力ウィンドウにパスワードを入力して決済ボタンを押すと、取引がなされるようになる。携帯端末機(MU)(10)はカードのパスワード入力を間違った時、これに対するエラーメッセージを顕示する。その後には図２を通じて説明したインターフェース過程と同一である。
【００２４】
また、携帯端末機(MU)(10)に内蔵されているカードを使用先別に分類して使用者にカード選択が便利にできるようにする。例えば、メンバーシップカード、ボーナスカード、ファミリーカード、出入保安、小額決済、交通決済、一般商取引、銀行カード、デビットカード、キャッシュカード、クレジットカードなどに分類し、各分類の下位目録に該当する細部カードをディスプレーする。決済過程進行時には関連したその他の事項を選択して該当画面に移動するようにするアイコン(icon)やメニューを提供する。例えば、即刻決済カードを利用した決済時にカードのパスワード入力画面で他のカードを選択することができるアイコンやメニューを提供し、金融決済完了メッセージをディスプレーした後、ボーナスカードなどの追加的なサービスを受けられる情報を選択することができるメニューやアイコンを提供する。
【００２５】
さらに、携帯端末機(MU)(10)内にアクセス制限項目に接近しようとする場合には、アクセスのキーとして携帯のパスワードを使用する。ここで、アクセス制限項目は各種のカード設定と照会関連項目であり、携帯のパスワードは携帯プライバシー保護設定/解除時に使用するパスワードのことである。
【００２６】
前述したように、本発明の携帯端末機を利用した金融決済の使用者インターフェース方法は、数個の金融決済用カードのうちデフォルトで使用するカードを選定して使用者がいちいちカードを選択しなくても即刻決済することができるようにし、携帯端末機の外部適正部分に外装キーを設けて、その外装キーを1回押すだけでカード端末機に繋がっている情報送受信機と通信を通じて決済可能なカードの種類及びパスワードの要否などの通知を受け、それに合うように決済することができる使用者インターフェースを提供することによって、使用者が携帯端末機を利用した金融決済をより便利に使用することができるという効果を有する。
【００２７】
［産業上の利用可能性］
前述したように、本発明に係る携帯端末機を利用した金融決済の使用者インターフェース方法は、クレジットカード(credit card)、デビットカード、キャッシュカード、デパートカード、メンバーシップカード、ボーナスカード、ファミリーカード、出入保安カードなどのカード使用分野において使用先別決済可能カードを選択するのに用いられる。
【図面の簡単な説明】
【００２８】
【図１】本発明が適用された携帯端末機を利用した金融決済システムを概略的に示す図面。
【図２Ａ】即刻決済のための使用者インターフェース過程を示す携帯端末機画面状態図。
【図２Ｂ】即刻決済のための使用者インターフェース過程を示す携帯端末機画面状態図。
【図３Ａ】外装キーを利用した使用者インターフェース過程を示す携帯端末機画面状態図。
【図３Ｂ】外装キーを利用した使用者インターフェース過程を示す携帯端末機画面状態図。
【図３Ｃ】外装キーを利用した使用者インターフェース過程を示す携帯端末機画面状態図。
【図３Ｄ】外装キーを利用した使用者インターフェース過程を示す携帯端末機画面状態図。
【符号の説明】
【００２９】
１０    携帯端末機（ＭＵ）
２０    情報送受信機（ＢＵ）
【国際調査報告】
2007535008.tif 000010
2007535008.tif 000011
2007535008.tif 000012
2007535008.tif 000013
2007535008.tif 000014